Podtech/llm-jp-corpus-v4-ja_patent huggingface dataset:
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
本体部と、
前記本体部に対して駆動可能に取り付けられた、少なくとも第１砲塔部と第２砲塔部とを備える砲塔部と、
前記本体部に対して前記第１砲塔部を駆動させるための第１駆動部と、
前記本体部に対して前記第２砲塔部を駆動させるための第２駆動部と、
前記第１駆動部の駆動状態および停止状態を切り替える第１スイッチ部と、
前記第２駆動部の駆動状態および停止状態を切り替える第２スイッチ部と、
前記第１スイッチ部または前記第２スイッチ部の操作に応じて演出音を出力する演出音出力部と、を備え、
前記演出音出力部は、前記第１スイッチ部の操作による前記第１砲塔部の駆動にともなって第１演出音を出力し、前記第１スイッチ部の操作による前記第１砲塔部の停止にともなって前記第１演出音と異なる第２演出音を出力し、前記第２スイッチ部の操作による前記第２砲塔部の駆動にともなって第３演出音を出力し、前記第２スイッチ部の操作による前記第２砲塔部の停止にともなって前記第３演出音と異なる第４演出音を出力する砲塔付玩具。
【請求項２】
請求項１に記載の砲塔付玩具であって、
前記砲塔部が回転限界位置まで回転したことを認識するリミットスイッチ部を備える砲塔付玩具。
【請求項３】
請求項２に記載の砲塔付玩具であって、
前記リミットスイッチ部は、前記第１砲塔部が回転限界位置まで回転したことを認識する第１リミットスイッチ部と、前記第２砲塔部が回転限界位置まで回転したことを認識する第２リミットスイッチ部と、を含む砲塔付玩具。
【請求項４】
請求項３に記載の砲塔付玩具であって、
前記第１リミットスイッチ部によって前記第１砲塔部が回転限界位置まで回転したことを認識すると、前記第１演出音の出力を停止するとともに前記第２演出音の出力を行い、所定時間が経過した後に前記第１駆動部を停止させ、
前記第２リミットスイッチ部によって前記第２砲塔部が回転限界位置まで回転したことを認識すると、前記第３演出音の出力を停止するとともに前記第４演出音の出力を行い、所定時間が経過した後に前記第２駆動部を停止させる砲塔付玩具。
【請求項５】
請求項３または請求項４に記載の砲塔付玩具であって、
前記第１リミットスイッチ部は、前記第１砲塔部が、右方向の回転限界位置まで回転したことを認識する第１右リミットスイッチ部と、左方向の回転限界位置まで回転したことを認識する第１左リミットスイッチ部を含み、
前記第２リミットスイッチ部は、前記第２砲塔部が、右方向の回転限界位置まで回転したことを認識する第２右リミットスイッチ部と、左方向の回転限界位置まで回転したことを認識する第２左リミットスイッチ部を含む砲塔付玩具。
【請求項６】
請求項１ないし請求項５のいずれか一項に記載の砲塔付玩具であって、
前記駆動状態から前記停止状態となるように前記第１スイッチ部または前記第２スイッチ部が操作されたときに、所定時間が経過した後に前記第１駆動部または前記第２駆動部を停止させる砲塔付玩具。
【請求項７】
請求項１ないし請求項６のいずれか一項に記載の砲塔付玩具であって、
前記砲塔部は、さらに第３砲塔部を備え、
前記第１砲塔部および前記第３砲塔部は、前記第１駆動部によって同じ方向に同期して駆動され、前記第２砲塔部は、前記第１砲塔部および前記第３砲塔部とは別に駆動する砲塔付玩具。
【請求項８】
請求項７記載の砲塔付玩具であって、
前記第２砲塔部は、前記第１砲塔部と前記第３砲塔部との間に配置される砲塔付玩具。
【請求項９】
請求項１ないし請求項８のいずれか一項に記載の砲塔付玩具であって、
前記第１砲塔部および前記第３砲塔部は、前記第２砲塔部の駆動方向と反対方向に駆動される砲塔付玩具。
【請求項１０】
請求項９記載の砲塔付玩具であって、
前記砲塔部は、さらに第４砲塔部を備え、
前記第２砲塔部および前記第４砲塔部は、前記第２駆動部によって同じ方向に同期して駆動される砲塔付玩具。
【請求項１１】
請求項１ないし請求項１０のいずれか１項に記載の砲塔付玩具であって、
前記本体部は船体形状であり、
前記本体部の甲板上における船首と船尾とを結ぶ線に沿って前記砲塔部が所定間隔で複数配置されている砲塔付玩具。
【手続補正２】
【補正対象書類名】明細書
【補正対象項目名】０００６
【補正方法】変更
【補正の内容】
【０００６】
本発明に係る砲塔付模型は、本体部と、前記本体部に対して駆動可能に取り付けられた砲塔部と、前記本体部に対して前記砲塔部を駆動させるための駆動部と、前記駆動部の駆動状態および停止状態を切り替えるスイッチ部と、前記スイッチ部の操作に応じて演出音を出力する演出音出力部と、を備え、前記演出音出力部は、前記駆動部が前記駆動状態となるように前記スイッチ部が操作されたときに第１演出音を出力し、前記駆動部が前記停止状態となるように前記スイッチ部が操作されたときに前記第１演出音と異なる第２演出音を出力する。また、本発明に係る砲塔付玩具は、本体部と、前記本体部に対して駆動可能に取り付けられた、少なくとも第１砲塔部と第２砲塔部とを備える砲塔部と、前記本体部に対して前記第１砲塔部を駆動させるための第１駆動部と、前記本体部に対して前記第２砲塔部を駆動させるための第２駆動部と、前記第１駆動部の駆動状態および停止状態を切り替える第１スイッチ部と、前記第２駆動部の駆動状態および停止状態を切り替える第２スイッチ部と、前記第１スイッチ部または前記第２スイッチ部の操作に応じて演出音を出力する演出音出力部と、を備え、前記演出音出力部は、前記第１スイッチ部の操作による前記第１砲塔部の駆動にともなって第１演出音を出力し、前記第１スイッチ部の操作による前記第１砲塔部の停止にともなって前記第１演出音と異なる第２演出音を出力し、前記第２スイッチ部の操作による前記第２砲塔部の駆動にともなって第３演出音を出力し、前記第２スイッチ部の操作による前記第２砲塔部の停止にともなって前記第３演出音と異なる第４演出音を出力する。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
遊技を制御する主制御装置と、遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラデータに基づいて処理を実行する複数の演出実行部と、
を備え、
前記スケジューラデータは、演出装置を制御可能なファンクションを含んで構成され、
前記ファンクションには、実行中のスケジューラデータから他のスケジューラデータの実行を呼び出す呼出ファンクションが含まれ、
前記呼出ファンクションは、呼び出すスケジューラデータとして２以上のスケジューラデータを指定可能な分岐情報を設定可能とし、当該他のスケジューラデータの実行後に、呼び出し元のスケジューラデータの処理に復帰可能とし、
さらに、表示装置に画像を表示する演出を実行する表示演出実行部と、
前記画像を表示するために必要なプログラムデータを記憶するプログラムデータ記憶部と、
を備え、
前記プログラムデータには、所定の処理を実行するための演出識別情報が設定されているものが含まれており、
前記表示演出実行部は、前記プログラムデータに設定された前記演出識別情報に対応する前記所定の処理を呼び出し、当該所定の処理を実行し、
前記プログラムデータによる処理が所定の期間継続して繰り返し実行される場合には、当該プログラムデータによる処理を繰り返し実行するたびに前記演出識別情報に対応した前記所定の処理を呼び出して、当該所定の処理を継続的に実行することを可能とする
ことを特徴とする遊技機。
【請求項２】
遊技を制御する主制御装置と、遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラデータに基づいて処理を実行する複数の演出実行部と、
を備え、
前記スケジューラデータは、演出装置を制御可能なファンクションを含んで構成され、
前記ファンクションには、実行中のスケジューラデータから他のスケジューラデータの実行を呼び出す呼出ファンクションが含まれ、
前記呼出ファンクションは、呼び出すスケジューラデータとして２以上のスケジューラデータを指定可能な分岐情報を設定可能とし、当該呼び出し元のスケジューラデータの処理に復帰することなく他のスケジューラデータによる処理を実行可能とし、
さらに、表示装置に画像を表示する演出を実行する表示演出実行部と、
前記画像を表示するために必要なプログラムデータを記憶するプログラムデータ記憶部と、
を備え、
前記プログラムデータには、所定の処理を実行するための演出識別情報が設定されているものが含まれており、
前記表示演出実行部は、前記プログラムデータに設定された前記演出識別情報に対応する前記所定の処理を呼び出し、当該所定の処理を実行し、
前記プログラムデータによる処理が所定の期間継続して繰り返し実行される場合には、当該プログラムデータによる処理を繰り返し実行するたびに前記演出識別情報に対応した前記所定の処理を呼び出して、当該所定の処理を継続的に実行することを可能とする
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、遊技を制御する主制御装置と、遊技の演出を実行する演出制御装置と、を備える遊技機において、前記演出制御装置は、前記主制御装置から入力されたコマンドを解析するコマンド解析部と、前記コマンド解析部による解析結果に基づいて、前記演出を実行するための手順が定義されたスケジューラデータに基づいて処理を実行する複数の演出実行部と、を備え、前記スケジューラデータは、演出装置を制御可能なファンクションを含んで構成され、前記ファンクションには、実行中のスケジューラデータから他のスケジューラデータの実行を呼び出す呼出ファンクションが含まれ、前記呼出ファンクションは、呼び出すスケジューラデータとして２以上のスケジューラデータを指定可能な分岐情報を設定可能とし、当該他のスケジューラデータの実行後に、呼び出し元のスケジューラデータの処理に復帰可能とし、さらに、表示装置に画像を表示する演出を実行する表示演出実行部と、前記画像を表示するために必要なプログラムデータを記憶するプログラムデータ記憶部と、を備え、前記プログラムデータには、所定の処理を実行するための演出識別情報が設定されているものが含まれており、前記表示演出実行部は、前記プログラムデータに設定された前記演出識別情報に対応する前記所定の処理を呼び出し、当該所定の処理を実行し、前記プログラムデータによる処理が所定の期間継続して繰り返し実行される場合には、当該プログラムデータによる処理を繰り返し実行するたびに前記演出識別情報に対応した前記所定の処理を呼び出して、当該所定の処理を継続的に実行することを可能とすることを特徴とする遊技機。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
コアワイヤと、
その基端が前記コアワイヤの先端に接合されたトルクチューブと、
前記トルクチューブの先端に接合された挿入先端部と、を備え、
前記トルクチューブは、螺旋状に同一方向に巻回した複数本の素線が並列に組み合わされて形成されたチューブ状構成層を含む中空部材であり、
前記トルクチューブは、二層以上の前記チューブ状構成層が径方向に積層配置された複数構造を有し、
隣接して配置された前記チューブ状構成層を構成するそれぞれの前記素線の巻回方向が、相互に逆方向である、ガイドワイヤ。
【請求項２】
前記トルクチューブの外側に配置されるヘリカル体をさらに備え、
前記ヘリカル体の先端が前記挿入先端部に接合される、請求項１に記載のガイドワイヤ。
【請求項３】
前記ヘリカル体は、その先端に向かって徐々に径が縮小するテーパー状のヘリカル体である、請求項２に記載のガイドワイヤ。
【請求項４】
前記ヘリカル体を構成する素線の巻回方向と、前記ヘリカル体と隣接して配置される前記トルクチューブ状構成層を構成する前記複数本の素線の巻回方向とが、相互に逆方向である、請求項２又は３に記載のガイドワイヤ。
【手続補正書】
【提出日】令和3年4月27日(2021.4.27)
【手続補正１】
【補正対象書類名】明細書
【補正対象項目名】０００１
【補正方法】変更
【補正の内容】
【０００１】
本発明は、所定抽選の当選確率に係る設定に関連する設定関連処理を実行可能な遊技機に関する。
【手続補正２】
【補正対象書類名】明細書
【補正対象項目名】０００８
【補正方法】変更
【補正の内容】
【０００８】
上記の課題を解決するため、第１の発明は、遊技の進行を制御する主制御部と、遊技に関する演出を制御する副制御部と、を備え、前記主制御部は、前記副制御部に対して所定の情報を送信するように構成された遊技機であって、前記主制御部は、所定抽選の当選確率に係る設定に関連する設定関連処理を実行する設定関連実行手段を備え、前記主制御部への電力の供給が開始された後、前記設定関連処理が実行されると、前記主制御部は、前記設定関連処理が終了するまで電力の供給後の演出に必要な特定の情報を前記副制御部に送信しないことを特徴とする。
【手続補正３】
【補正対象書類名】明細書
【補正対象項目名】０００９
【補正方法】変更
【補正の内容】
【０００９】
また、第１の発明は、上記構成において、前記設定関連処理には、前記所定抽選の当選確率に係る設定を変更する設定変更処理が含まれており、前記電力の供給後に遊技の進行を停止させる異常状態が発生している場合には、前記主制御部は、前記設定変更処理が終了するまで前記特定の情報を前記副制御部に送信しないことを特徴とする。
【手続補正４】
【補正対象書類名】明細書
【補正対象項目名】００１０
【補正方法】変更
【補正の内容】
【００１０】
上記の課題を解決するために、第２の発明は、遊技の進行を制御する主制御部と、遊技に関する演出を制御する副制御部と、を備え、前記主制御部は、所定抽選の当選確率に係る設定に関連する設定関連処理を実行する設定関連実行手段を備え、前記主制御部への電力の供給が開始されてから前記設定関連処理が終了するまで、前記副制御部は、電力の供給後の演出を実行しないことを特徴とする。
【手続補正５】
【補正対象書類名】特許請求の範囲
【補正対象項目名】全文
【補正方法】変更
【補正の内容】
【特許請求の範囲】
【請求項１】
遊技の進行を制御する主制御部と、遊技に関する演出を制御する副制御部と、を備え、前記主制御部は、前記副制御部に対して所定の情報を送信するように構成された遊技機であって、
前記主制御部は、所定抽選の当選確率に係る設定に関連する設定関連処理を実行する設定関連実行手段を備え、
前記主制御部への電力の供給が開始された後、前記設定関連処理が実行されると、前記主制御部は、前記設定関連処理が終了するまで電力の供給後の演出に必要な特定の情報を前記副制御部に送信しない、ことを特徴とする遊技機。
【請求項２】
前記設定関連処理には、前記所定抽選の当選確率に係る設定を変更する設定変更処理が含まれており、
前記電力の供給後に遊技の進行を停止させる異常状態が発生している場合には、前記主制御部は、前記設定変更処理が終了するまで前記特定の情報を前記副制御部に送信しない、ことを特徴とする請求項１に記載の遊技機。
【請求項３】
遊技の進行を制御する主制御部と、
遊技に関する演出を制御する副制御部と、を備え、
前記主制御部は、所定抽選の当選確率に係る設定に関連する設定関連処理を実行する設定関連実行手段を備え、
前記主制御部への電力の供給が開始されてから前記設定関連処理が終了するまで、前記副制御部は、電力の供給後の演出を実行しない、ことを特徴とする遊技機。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
薬品又は薬品収容部に付されている薬品識別情報を読み取り可能な情報読取部と、
前記情報読取部により読み取られる前記薬品識別情報を先調剤薬品データとして記録する記録処理部と、
前記先調剤薬品データと処方データとを照合する第１照合処理部と、
前記第１照合処理部による照合結果が不一致であり、前記処方データには含まれない前記薬品識別情報が前記先調剤薬品データに含まれていると判断された場合、その後に前記情報読取部により読み取られる前記薬品識別情報と、前記先調剤薬品データに含まれる前記薬品識別情報のうち前記処方データには含まれない前記薬品識別情報とを照合する第２照合処理部と、
を備えるピッキング支援システム。
【請求項２】
前記第２照合処理部による照合結果が一致である場合に、前記先調剤薬品データから前記薬品識別情報を消去する修正処理部を備える、
請求項１に記載のピッキング支援システム。
【請求項３】
前記記録処理部は、前記薬品識別情報に対応する薬品について入力された薬品量を前記先調剤薬品データとして記録可能であり、
前記第１照合処理部は、前記先調剤薬品データに含まれる前記薬品識別情報及び前記薬品量と前記処方データに含まれる前記薬品識別情報及び前記薬品量とを照合する、
請求項１又は２に記載のピッキング支援システム。
【請求項４】
ユーザーが予め設定される特定ユーザーであるか否かを特定する特定処理部と、
前記特定処理部によって現在のユーザーが前記特定ユーザーであると特定された場合に、処方データに含まれる全ての種別の薬品の情報を表示可能な第１表示処理部と、
前記特定処理部によって現在のユーザーが前記特定ユーザーでないと特定された場合に、前記処方データに含まれる前記薬品の情報のうち前記特定ユーザーが取り扱う必要がある薬品として予め設定される第１種別の薬品の情報を除く第２種別の薬品の情報のみを表示可能な第２表示処理部と、
を更に備える、
請求項１〜３のいずれかに記載のピッキング支援システム。
【請求項５】
前記第１照合処理部による照合結果を出力可能な出力処理部を備え、
前記出力処理部は、前記情報読取部により読み取られた前記薬品識別情報と当該薬品識別情報が読み取られたときのユーザーとをそれぞれ対応付けて出力可能である、
請求項１〜４のいずれかに記載のピッキング支援システム。
【請求項６】
薬品又は薬品収容部に付されている薬品識別情報を読み取り可能な情報読取部と、
処方データと前記情報読取部により読み取られる一又は複数の前記薬品識別情報とを照合する薬品照合処理を実行する第１処理部と、
前記薬品照合処理を実行せず前記情報読取部により読み取られる一又は複数の前記薬品識別情報を一群の薬品データとして記録する第２処理部と、
前記処方データと前記第２処理部により記録された前記薬品データとを照合する後監査処理を実行する第３処理部と、
前記後監査処理の照合結果が不一致であり、前記処方データには含まれない前記薬品識別情報が前記薬品データに含まれていると判断された場合、その後に前記情報読取部により読み取られる前記薬品識別情報と、前記薬品データに含まれる前記薬品識別情報のうち前記処方データには含まれない前記薬品識別情報とを照合する第４処理部と、
を備えるピッキング支援システム。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
白金、ニッケル、及び銅を有する白金合金を含む八面体ナノ粒子（Ｐｔ−Ｎｉ−Ｃｕ）と、
前記八面体ナノ粒子に接触しており、１−メチル−２、３、４、６、７、８−ヘキサヒドロ−１Ｈ−ピリミド［１、２−ａ］ピリミジン−９−イウム  １、１、２、２、３、３、４、４、４−ノナフルオロブタン−１−スルホネート（［ＭＴＢＤ］［Ｃ４Ｆ９ＳＯ３］）を含む補助アイオノマーと、
を含む、酸素還元反応（ＯＲＲ）触媒。
【請求項２】
前記八面体ナノ粒子がニッケルと銅をニッケル：銅のモル比が約１：２〜約２：１の範囲内で含む、請求項１に記載のＯＲＲ触媒。
【請求項３】
前記八面体ナノ粒子がニッケルと銅をニッケル：銅のモル比が約１：１で含む、請求項２に記載のＯＲＲ触媒。
【請求項４】
前記八面体ナノ粒子が白金とニッケルを白金：ニッケルのモル比が約１：１〜約４：１の範囲内で含む、請求項１に記載のＯＲＲ触媒。
【請求項５】
前記八面体ナノ粒子が白金とニッケルを白金：ニッケルのモル比が約２：１で含む、請求項４に記載のＯＲＲ触媒。
【請求項６】
前記補助アイオノマーの前記白金合金に対する重量比が１．２５：１以上３．８５：１以下である、請求項１に記載のＯＲＲ触媒。
【請求項７】
前記補助アイオノマーの前記白金合金に対する重量比が２：１以上３：１以下である、請求項１に記載のＯＲＲ触媒。
【請求項８】
前記補助アイオノマーの前記白金合金に対する重量比が２．５：１以上２．６：１以下である、請求項１に記載のＯＲＲ触媒。
【請求項９】
前記白金合金に接触している高分子アイオノマーを含む、請求項１に記載のＯＲＲ触媒。
【請求項１０】
前記補助アイオノマーが前記白金合金の全体を被覆している、請求項１に記載のＯＲＲ触媒。
【請求項１１】
前記補助アイオノマーが前記白金合金を部分的に被覆している、請求項１に記載のＯＲＲ触媒。
【請求項１２】
前記八面体ナノ粒子が多孔質粒子を含み、前記補助アイオノマーが少なくとも部分的に前記多孔質粒子に含浸している、請求項１に記載のＯＲＲ触媒。
【請求項１３】
酸素還元用のカソードであって、
カソード集電体と、
白金、ニッケル、及び銅を有する白金合金を含む八面体ナノ粒子（Ｐｔ−Ｎｉ−Ｃｕ）と、
前記八面体ナノ粒子に接触しており、１−メチル−２、３、４、６、７、８−ヘキサヒドロ−１Ｈ−ピリミド［１、２−ａ］ピリミジン−９−イウム  １、１、２、２、３、３、４、４、４−ノナフルオロブタン−１−スルホネート（［ＭＴＢＤ］［Ｃ４Ｆ９ＳＯ３］）を含む補助アイオノマーと、
を備えるカソード。
【請求項１４】
前記八面体ナノ粒子がニッケルと銅をニッケル：銅のモル比が約１：２〜約２：１の範囲内で含む、請求項１３に記載のカソード。
【請求項１５】
前記八面体ナノ粒子がニッケルと銅をニッケル：銅のモル比が約１：１で含む、請求項１４に記載のカソード。
【請求項１６】
前記八面体ナノ粒子が白金とニッケルを白金：ニッケルのモル比が約１：１〜約４：１の範囲内で含む、請求項１３に記載のカソード。
【請求項１７】
前記八面体ナノ粒子が白金とニッケルを白金：ニッケルのモル比が約２：１で含む、請求項１６に記載のカソード。
【請求項１８】
前記補助アイオノマーの前記白金合金に対する重量比が２：１以上３：１以下である、請求項１３に記載のカソード。
【請求項１９】
前記補助アイオノマーの前記白金合金に対する重量比が２．５：１以上２．６：１以下である、請求項１３に記載のカソード。
【請求項２０】
請求項１３に記載のカソードを備える高分子電解質型燃料電池。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技領域へ遊技球を発射可能な発射手段と、
前記遊技領域に設けられ、遊技球が入球可能又は入球しやすい第１状態と、遊技球が入球不能又は前記第１状態よりも入球しにくい第２状態と、に切り替わり可能な可変入球手段と、
所定の場合に、前記可変入球手段を前記第２状態から前記第１状態とし、その後、前記第２状態とする可変入球制御を実行する可変入球制御手段と、
前記可変入球手段への遊技球の入球に基づいて遊技者に特典を付与可能な特典付与手段と、
前記遊技領域に設けられ、遊技球を前記遊技領域から排出することが可能な第１排出部及び第２排出部と、
を備えていることを特徴とする遊技機。
【請求項２】
前記可変入球手段が前記第１状態である第１状況において遊技球が前記第２排出部よりも前記第１排出部に入球しやすく、前記可変入球手段が前記第２状態である第２状況において遊技球が前記第１排出部よりも前記第２排出部に入球しやすいように構成されていることを特徴とする請求項１に記載の遊技機。
【請求項３】
前記可変入球手段が前記第１状態とされる第１状況において前記可変入球手段が前記第２状態である第２状況よりも前記第１排出部への入球が生じやすいように構成されていることを特徴とする請求項１に記載の遊技機。
【請求項４】
前記第１排出部は、前記第２排出部よりも遊技機正面からの視認性が低くなっていることを特徴とする請求項１乃至３のいずれかに記載の遊技機。
【請求項５】
前記第２排出部が遊技機前方に開口し、前記第１排出部が遊技機前方とは異なる方向に開口していることを特徴とする請求項１乃至４のいずれかに記載の遊技機。
【請求項６】
各前記排出部は遊技球が通過可能な開口部を備え、
前記第１排出部の開口部が前記第２排出部の開口部よりも小さいことを特徴とする請求項１乃至５のいずれかに記載の遊技機。
【請求項７】
前記第１排出部が前記第２排出部よりも上流側に配置されていることを特徴とする請求項１乃至６のいずれかに記載の遊技機。
【請求項８】
前記可変入球手段は、
所定の入球部と、
前記所定の入球部を開閉可能な開閉体と、
を備え、
前記開閉体は、所定の第１位置から遊技機前方に回動することで、前記第１位置よりも遊技機前方に突出した第２位置に変位可能となっており、
前記可変入球手段は、前記開閉体が前記第１位置にある場合に前記第２状態となり、前記開閉体が前記第２位置にある場合に前記第１状態となるように構成されており、
前記第１位置にある前記開閉体の前方を遊技球が流下可能となっており、
前記第１排出部は、前記開閉体の側方に配置されていることを特徴とする請求項１乃至７のいずれかに記載の遊技機。
【手続補正２】
【補正対象書類名】明細書
【補正対象項目名】０００６
【補正方法】変更
【補正の内容】
【０００６】
本発明は、
所定の発射操作に基づいて遊技領域へ遊技球を発射可能な発射手段と、
前記遊技領域に設けられ、遊技球が入球可能又は入球しやすい第１状態と、遊技球が入球不能又は前記第１状態よりも入球しにくい第２状態と、に切り替わり可能な可変入球手段と、
所定の場合に、前記可変入球手段を前記第２状態から前記第１状態とし、その後、前記第２状態とする可変入球制御を実行する可変入球制御手段と、
前記可変入球手段への遊技球の入球に基づいて遊技者に特典を付与可能な特典付与手段と、
前記遊技領域に設けられ、遊技球を前記遊技領域から排出することが可能な第１排出部及び第２排出部と、
を備えていることを特徴とする。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技領域へ遊技球を発射可能な発射手段と、
前記遊技領域に設けられ、遊技球が入球可能又は入球しやすい第１状態と、遊技球が入球不能又は前記第１状態よりも入球しにくい第２状態と、に切り替わり可能な可変入球手段と、
所定の場合に、前記可変入球手段を前記第２状態から前記第１状態とし、その後、前記第２状態とする可変入球制御を実行する可変入球制御手段と、
前記遊技領域を流下する遊技球のうち、前記可変入球手段よりも上流側の他の入球部に入球しなかった遊技球の全て又は略全てを、前記発射手段における遊技球の発射勢が第１発射勢であるか、それとも第２発射勢であるかにかかわらず、前記他の入球部よりも下流側の所定領域に導出することが可能な導出手段と、
を備えていることを特徴とする遊技機。
【請求項２】
前記遊技領域に設けられ、遊技球を前記遊技領域から排出することが可能な排出部を備え、
前記可変入球手段が前記第１状態である場合に、前記所定領域に導出された遊技球が前記可変入球手段に入球可能となり、前記可変入球手段が前記第２状態である場合に、前記所定領域に導出された遊技球が前記排出部に入球可能となるように構成されていることを特徴とする請求項１に記載の遊技機。
【請求項３】
前記遊技領域が形成された遊技盤を備え、
前記他の入球部は、遊技球が前記可変入球手段に到達する所定の発射態様で発射された場合における前記可変入球手段の上流に配置され且つ入球した遊技球を前記遊技盤の背面側に導くように構成された全ての入球部であることを特徴とする請求項１又は請求項２に記載の遊技機。
【請求項４】
前記遊技領域において上方及び正面視で左右両側を遊技球が通過可能となるように設置され、絵柄が変動表示される絵柄表示手段を備え、
前記導出手段は、
前記左右両側のうち左側を流下する遊技球を前記所定領域に導出することが可能な左側導出手段と、
前記左右両側のうち右側を流下する遊技球を前記所定領域に導出することが可能な右側導出手段と、
を備え、
前記左側導出手段と前記右側導出手段との間に前記所定領域が配置されていることを特徴とする請求項１乃至３のいずれかに記載の遊技機。
【請求項５】
前記他の入球部には所定入球部が含まれており、
前記遊技領域において遊技球を前記所定入球部又は前記所定入球部の上方に導出することが可能な第１導出部を備え、
前記導出手段は、前記第１導出部により導出された後、前記所定入球部に入球しなかった遊技球を、前記所定領域に導出することが可能な第２導出部を備えていることを特徴とする請求項１乃至４のいずれかに記載の遊技機。
【請求項６】
前記導出手段は、遊技球の導出方向に沿って延びる通路状をなし遊技球が転動可能な平面部を備え、前記平面部により遊技球を前記所定領域に導出可能な構成であることを特徴とする請求項１乃至５のいずれかに記載の遊技機。
【請求項７】
前記可変入球手段は、前記第２状態から前記第１状態に切り換えられた場合に、所定の受入領域を前記遊技領域に形成し、前記所定の受入領域に流入した遊技球を受け入れるように構成されており、
前記所定の受入領域が形成される領域に前記所定領域が含まれることを特徴とする請求項１乃至６のいずれかに記載の遊技機。
【手続補正２】
【補正対象書類名】明細書
【補正対象項目名】０００６
【補正方法】変更
【補正の内容】
【０００６】
本発明は、
所定の発射操作に基づいて遊技領域へ遊技球を発射可能な発射手段と、
前記遊技領域に設けられ、遊技球が入球可能又は入球しやすい第１状態と、遊技球が入球不能又は前記第１状態よりも入球しにくい第２状態と、に切り替わり可能な可変入球手段と、
所定の場合に、前記可変入球手段を前記第２状態から前記第１状態とし、その後、前記第２状態とする可変入球制御を実行する可変入球制御手段と、
前記遊技領域を流下する遊技球のうち、前記可変入球手段よりも上流側の他の入球部に入球しなかった遊技球の全て又は略全てを、前記発射手段における遊技球の発射勢が第１発射勢であるか、それとも第２発射勢であるかにかかわらず、前記他の入球部よりも下流側の所定領域に導出することが可能な導出手段と、
を備えていることを特徴とする。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技球を発射可能な発射手段と、
遊技球が入球可能な入球部と、
前記入球部に対応して設けられ、前記入球部に遊技球が入球可能又は入球しやすい第１態様と、前記入球部に遊技球が入球不能又は前記第１態様よりも入球しにくい第２態様とに切り替わり可能な可動体と、
所定の場合に、前記可動体を前記第２態様から前記第１態様とし、その後、前記第２態様とする切替制御を実行する切替制御手段と、
を備え、
前記可動体が少なくとも前記第２態様にある状況で遊技球を受けることが可能な球受け部を有しており、前記球受け部に受けた遊技球を所定方向に移動させることが可能となっており、
前記球受け部における遊技球の前記所定方向への移動しやすさを変化させることが可能な特定手段を備えていることを特徴とする遊技機。
【請求項２】
前記可動体が前記第２態様から前記第１態様に切り替わる場合に、前記球受け部における遊技球が前記入球部に入球可能であることを特徴とする請求項１に記載の遊技機。
【請求項３】
前記入球部としての第１入球部と、
遊技球が入球可能なものであって、前記第１入球部とは異なる第２入球部と、
を備え、
前記可動体が前記第１態様から前記第２態様に切り替わる場合に、前記球受け部における遊技球が前記第２入球部に入球可能であることを特徴とする請求項１に記載の遊技機。
【請求項４】
遊技状態として、前記切替制御が実行される第１遊技状態と、前記切替制御が実行されない第２遊技状態とを有しており、
前記特定手段は、
前記球受け部における遊技球の前記所定方向への移動しやすさを、遊技球が相対的に移動しやすい第１状態と、遊技球が相対的に移動しにくい第２状態とに切り替え可能となっており、
前記第１遊技状態の少なくとも一部の期間で前記第２状態となるようにする状態変更手段を備えていることを特徴とする請求項１乃至３のいずれかに記載の遊技機。
【請求項５】
前記状態変更手段は、前記第２遊技状態である場合に前記第１状態となるようにすることを特徴とする請求項４に記載の遊技機。
【請求項６】
前記状態変更手段は、前記切替制御が実行されることに対応して前記第２状態への切り替えを実行する構成であることを特徴とする請求項４又は請求項５に記載の遊技機。
【請求項７】
前記切替制御として、予め定められた所定の態様で前記切替制御が行われる第１切替制御と、前記所定の態様とは異なる態様で前記切替制御が行われる第２切替制御とを有しており、
前記状態変更手段は、前記第１切替制御が実行される場合に前記第２状態となり、前記第２切替制御が実行される場合に前記第１状態となるようにする手段を備えていることを特徴とする請求項４乃至６のいずれかに記載の遊技機。
【請求項８】
前記可動体の一部をなし又は前記可動体の動力を受けて、第１位置と、前記第１位置とは異なる第２位置とに動作可能な特定体を備え、
前記特定体が前記第１位置に配置されることで前記第１状態となり、前記特定体が前記第２位置に配置されることで前記第２状態となることを特徴とする請求項４乃至７のいずれかに記載の遊技機。
【手続補正２】
【補正対象書類名】明細書
【補正対象項目名】０００６
【補正方法】変更
【補正の内容】
【０００６】
本発明は、
所定の発射操作に基づいて遊技球を発射可能な発射手段と、
遊技球が入球可能な入球部と、
前記入球部に対応して設けられ、前記入球部に遊技球が入球可能又は入球しやすい第１態様と、前記入球部に遊技球が入球不能又は前記第１態様よりも入球しにくい第２態様とに切り替わり可能な可動体と、
所定の場合に、前記可動体を前記第２態様から前記第１態様とし、その後、前記第２態様とする切替制御を実行する切替制御手段と、
を備え、
前記可動体が少なくとも前記第２態様にある状況で遊技球を受けることが可能な球受け部を有しており、前記球受け部に受けた遊技球を所定方向に移動させることが可能となっており、
前記球受け部における遊技球の前記所定方向への移動しやすさを変化させることが可能な特定手段を備えていることを特徴とする。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技球を発射可能な発射手段と、
遊技球が入球可能な第１入球部及び第２入球部と、
前記第１入球部に遊技球が入球不能又は入球しにくい第１状態と、前記第１入球部に遊技球が入球可能又は前記第１状態よりも入球しやすい第２状態とに切り替わり可能な可動体と、
所定の場合に、前記可動体を前記第１状態から前記第２状態とし、その後、前記第１状態とする切替制御を実行する切替制御手段と、
を備え、
前記可動体が少なくとも前記第１状態にある状況で遊技球を受けることが可能な球受け部を備えていることを特徴とする遊技機。
【請求項２】
前記可動体が前記第１状態から前記第２状態に切り替えられる状況で前記球受け部における遊技球が前記第２入球部に入球可能であることを特徴とする請求項１に記載の遊技機。
【請求項３】
前記第２入球部は、前記球受け部より下流側に配置され、上方に開口していることを特徴とする請求項１又は請求項２に記載の遊技機。
【請求項４】
前記可動体は、所定方向に回動可能となっており、前記回動により前記第１状態から前記第２状態への切り替わりが行われる構成であることを特徴とする請求項１乃至３のいずれかに記載の遊技機。
【請求項５】
前記可動体は、前記第１入球部を開閉可能な開閉部を備え、
前記開閉部により前記第１入球部が前記第１状態とされている場合に、前記球受け部が前記開閉部よりも遊技機前方に突出する構成であることを特徴とする請求項４に記載の遊技機。
【請求項６】
前記発射手段は遊技球を遊技領域に発射することが可能であり、
遊技球を前記遊技領域から排出することが可能な排出部と、
前記球受け部に受けられた遊技球を前記排出部側に導出することが可能な導出手段とを備えていることを特徴とする請求項１乃至５のいずれかに記載の遊技機。
【請求項７】
前記導出手段は、前記球受け部に受けられた遊技球を当該球受け部の側方側に向けて導出することが可能となっており、
前記排出部は、前記球受け部の側方に配置されていることを特徴とする請求項６に記載の遊技機。
【請求項８】
前記排出部は前記球受け部側に開口していることを特徴とする請求項７に記載の遊技機。
【手続補正２】
【補正対象書類名】明細書
【補正対象項目名】０００６
【補正方法】変更
【補正の内容】
【０００６】
本発明は、
所定の発射操作に基づいて遊技球を発射可能な発射手段と、
遊技球が入球可能な第１入球部及び第２入球部と、
前記第１入球部に遊技球が入球不能又は入球しにくい第１状態と、前記第１入球部に遊技球が入球可能又は前記第１状態よりも入球しやすい第２状態とに切り替わり可能な可動体と、
所定の場合に、前記可動体を前記第１状態から前記第２状態とし、その後、前記第１状態とする切替制御を実行する切替制御手段と、
を備え、
前記可動体が少なくとも前記第１状態にある状況で遊技球を受けることが可能な球受け部を備えていることを特徴とする。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技球を発射可能な発射手段と、
遊技球の通路部を形成可能な通路形成体と、
を備え、
前記通路形成体は、第１位置と、前記第１位置とは異なる第２位置とに変位可能となっており、
前記第１位置において前記通路形成体の所定面が前記通路部を構成することが可能であり、
前記第２位置において前記通路形成体の所定面上の遊技球を下方に落下させることが可能であり、
前記通路形成体の所定面に設けられ、前記通路形成体が前記第１位置にある状況で上方側に突出する突出部を備えていることを特徴とする遊技機。
【請求項２】
前記突出部は、前記通路形成体の通路方向に延びることを特徴とする請求項１に記載の遊技機。
【請求項３】
前記通路形成体は、回動により前記第１位置と前記第２位置との変位が可能であり、
前記突出部は、前記所定面の回動先端部から遊技球の直径以上離間していることを特徴とする請求項１又は請求項２に記載の遊技機。
【請求項４】
前記通路形成体は、回動により前記第１位置と前記第２位置との変位が可能であり、
前記突出部は、前記所定面において回動先端とは反対側の端部に設けられていることを特徴とする請求項１乃至３のいずれかに記載の遊技機。
【請求項５】
前記通路形成体が前記第１位置にある状況で前記突出部の遊技機後方側に所定の空間部を有していることを特徴とする請求項１乃至４のいずれかに記載の遊技機。
【請求項６】
遊技球が入球可能な第１入球部及び第２入球部を備え、
前記通路部を通過した遊技球が前記第１入球部に入球可能となる一方、前記通路部から落下した遊技球が前記第２入球部に入球可能となる構成であり、
前記第１入球部に遊技球が入球した場合よりも前記第２入球部に遊技球が入球した場合の方が遊技者にとって有利となる構成であることを特徴とする請求項１乃至５のいずれかに記載の遊技機。
【請求項７】
前記第２入球部への遊技球の入球に基づいて特典が付与可能である一方、前記第１入球部への遊技球の入球に基づく特典付与の契機がない構成であることを特徴とする請求項６に記載の遊技機。
【手続補正２】
【補正対象書類名】明細書
【補正対象項目名】０００６
【補正方法】変更
【補正の内容】
【０００６】
本発明は、
所定の発射操作に基づいて遊技球を発射可能な発射手段と、
遊技球の通路部を形成可能な通路形成体と、
を備え、
前記通路形成体は、第１位置と、前記第１位置とは異なる第２位置とに変位可能となっており、
前記第１位置において前記通路形成体の所定面が前記通路部を構成することが可能であり、
前記第２位置において前記通路形成体の所定面上の遊技球を下方に落下させることが可能であり、
前記通路形成体の所定面に設けられ、前記通路形成体が前記第１位置にある状況で上方側に突出する突出部を備えていることを特徴とする。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技球を発射可能な発射手段と、
遊技球が入球可能な所定入球部と、
前記所定入球部への遊技球の入球に基づいて特定判定を実行することが可能な特定判定手段と、
を備え、
前記特定判定の結果に基づいて所定遊技状態より遊技者に有利な特別遊技状態に移行させることが可能な遊技機であって、
遊技球が入球可能又は入球しやすい第１態様と、遊技球が入球不能又は前記第１態様よりも入球しにくい第２態様とに切り替わり可能な可変入球手段を備え、
遊技状態が前記特別遊技状態に移行した場合に、前記可変入球手段を前記第２態様から前記第１態様とし、その後、前記第２態様とする可変入球制御を実行することが可能な構成であり、
前記特別遊技状態において前記所定入球部に遊技球が入球可能又は入球しやすい第１状態を有することを可能とする第１手段と、
前記所定遊技状態において前記所定入球部に遊技球が入球不可又は前記第１状態よりも入球しにくい第２状態を有することを可能とする第２手段と、
を備えていることを特徴とする遊技機。
【請求項２】
遊技球が入球可能な第１入球部と、
前記所定入球部としての第２入球部とを備え、
前記特定判定手段は、前記第１入球部又は前記第２入球部へ入球に基づいて特定判定を実行することが可能であり、
前記第１入球部への入球に基づく特定判定よりも前記第２入球部への入球に基づく特定判定の方が遊技者にとって有利となるように構成されていることを特徴とする請求項１に記載の遊技機。
【請求項３】
前記所定入球部は、前記可変入球手段よりも下流側に設けられることを特徴とする請求項１又は請求項２に記載の遊技機。
【請求項４】
前記所定遊技状態である場合に遊技球が特定領域に流入することを規制し、前記特別遊技状態である場合に遊技球が前記特定領域に流入することを許容する手段を備え、
前記特定領域に流入した遊技球が前記所定入球部に入球可能となる構成であることを特徴とする請求項１乃至３のいずれかに記載の遊技機。
【請求項５】
遊技球が入球可能な第１入球部と、
前記所定入球部としての第２入球部と、
前記第１入球部及び前記第２入球部とは異なる第３入球部と、
前記第３入球部に遊技球を受入可能又は受け入れやすい所定態様と、前記第３入球部に遊技球を受入不可又は前記所定態様よりも受け入れにくい特定態様とに切り替わり可能な受入手段と、
前記受入手段を前記特定態様から前記所定態様とし、その後、前記特定態様とする受入制御を実行する受入制御手段と、
を備え、
前記特定判定手段は、前記第１入球部、前記第２入球部又は前記第３入球部への入球に基づいて特定判定を実行することが可能であることを特徴とする請求項１乃至４のいずれかに記載の遊技機。
【請求項６】
前記所定遊技状態である場合に遊技球が特定領域に流入することを規制し、前記特別遊技状態である場合に遊技球が前記特定領域に流入することを許容する手段を備え、
前記特定領域に流入した遊技球が前記第２入球部に入球可能となる構成であり、
前記第３入球部は、前記特定領域よりも上流側に配置されていることを特徴とする請求項５に記載の遊技機。
【請求項７】
前記可変入球手段が前記第２態様である場合に遊技球を受けることが可能な球受け手段を備え、
前記可変入球手段が前記第２態様である場合に前記球受け手段の下方に遊技球が流入することが規制され、前記可変入球手段が前記第１態様である場合に前記球受け手段の下方に遊技球が流入することが許容され得るように構成されており、
前記球受け手段の下方に流入した遊技球が前記所定入球部に入球可能であることを特徴とする請求項１乃至６のいずれかに記載の遊技機。
【手続補正２】
【補正対象書類名】明細書
【補正対象項目名】０００６
【補正方法】変更
【補正の内容】
【０００６】
本発明は、
所定の発射操作に基づいて遊技球を発射可能な発射手段と、
遊技球が入球可能な所定入球部と、
前記所定入球部への遊技球の入球に基づいて特定判定を実行することが可能な特定判定手段と、
を備え、
前記特定判定の結果に基づいて所定遊技状態より遊技者に有利な特別遊技状態に移行させることが可能な遊技機であって、
遊技球が入球可能又は入球しやすい第１態様と、遊技球が入球不能又は前記第１態様よりも入球しにくい第２態様とに切り替わり可能な可変入球手段を備え、
遊技状態が前記特別遊技状態に移行した場合に、前記可変入球手段を前記第２態様から前記第１態様とし、その後、前記第２態様とする可変入球制御を実行することが可能な構成であり、
前記特別遊技状態において前記所定入球部に遊技球が入球可能又は入球しやすい第１状態を有することを可能とする第１手段と、
前記所定遊技状態において前記所定入球部に遊技球が入球不可又は前記第１状態よりも入球しにくい第２状態を有することを可能とする第２手段と、
を備えていることを特徴とする。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
媒体の画像を読み取る画像読取装置と、前記画像読取装置に接続されて前記画像読取装置が読み取った媒体画像を取得する情報処理装置と、を備えた情報処理システムであって、
前記画像読取装置は、
媒体の画像を読み取る画像読取手段と、
前記画像読取手段が読み取った媒体画像が有する媒体情報に基づいて、媒体情報に含まれる個人情報を特定する情報特定手段と、
前記情報特定手段が特定した個人情報を前記媒体画像から削除する情報削除手段と、
前記媒体画像に情報を書き込む情報書込み手段と、を備え、
前記情報処理装置は、
前記媒体画像において前記情報削除手段が個人情報を削除した情報削除領域上に書き込むための文字列又は記号を含む追加情報を媒体の種類毎に設定する情報設定手段を備え、
前記画像読取装置は、
前記情報処理装置から取得した前記情報設定手段の設定情報に基づいて、前記情報処理装置へ送信する前の媒体画像の前記情報削除領域上に前記追加情報を書き込み、前記情報書込み手段が前記追加情報を書き込んだ媒体情報を前記情報処理装置に送信することを特徴とする情報処理システム。
【請求項２】
前記情報特定手段が特定した個人情報に基づいて警告を報知する表示手段を備え、
前記画像読取装置は、媒体を搬送する搬送手段と、前記搬送手段を制御する制御手段とを有し、
前記情報特定手段が個人情報を特定した場合に、前記制御手段が前記搬送手段を制御して媒体の搬送を停止すると共に前記表示手段が前記警告を表示し、媒体の搬送を再開するか否かの外部入力に基づいて媒体の搬送を再開した場合に、前記画像読取装置は、前記情報書込み手段が前記追加情報を書き込んだ媒体情報を前記情報処理装置に送信することを特徴とする請求項１に記載の情報処理システム。
【請求項３】
前記情報特定手段は、
前記画像読取手段が読み取った媒体画像が有する媒体情報に基づいて媒体の種類を判別する種類判別手段を有し、前記種類判別手段の判別結果に基づいて、媒体情報に含まれる個人情報を特定することを特徴とする請求項１又は２に記載の情報処理システム。
【請求項４】
前記画像読取手段が読み取った媒体画像の画像領域を設定する画像領域設定手段を有し、前記種類判別手段は、前記画像領域設定手段によって設定された画像領域から判別することを特徴とする請求項３に記載の情報処理システム。
【請求項５】
前記画像読取手段であらかじめ読み取った媒体画像を基準画像として保存する基準画像保存手段を有し、前記種類判別手段は、前記基準画像保存手段によって保存されている画像のレイアウトと比較して判別することを特徴とする請求項３又は４に記載の情報処理システム。
【請求項６】
前記情報処理装置は、
媒体の種類を設定する種類設定手段と、前記種類設定手段で設定した媒体種類情報を前記画像読取装置に送信する送信手段と、を備え、
前記情報特定手段は、
前記情報処理装置から取得した媒体種類情報に基づいて、前記画像読取手段が読み取った媒体画像が有する媒体情報に含まれる所定の個人情報を特定することを特徴とする請求項１に記載の情報処理システム。
【請求項７】
前記情報処理装置は、
画像データを前記画像読取装置に送信する送信手段を備え、
前記情報特定手段は、
前記情報処理装置から取得した画像データを基準画像として保存する基準画像保存手段と、前記基準画像保存手段によって保存されている画像のレイアウトと比較して媒体の種類を判別する種類判別手段を有し、前記種類判別手段の判別結果に基づいて、媒体情報に含まれる所定の個人情報を特定することを特徴とする請求項１に記載の情報処理システム。
【請求項８】
前記情報特定手段が特定した個人情報から、媒体画像から情報を削除する位置を決定する削除位置決定手段を有することを特徴とする請求項１乃至７のいずれか一項に記載の情報処理システム。
【手続補正２】
【補正対象書類名】明細書
【補正対象項目名】０００９
【補正方法】変更
【補正の内容】
【０００９】
本発明の情報処理システムは、
媒体の画像を読み取る画像読取装置と、前記画像読取装置に接続されて前記画像読取装置が読み取った媒体画像を取得する情報処理装置と、を備えた情報処理システムであって、
前記画像読取装置は、
媒体の画像を読み取る画像読取手段と、
前記画像読取手段が読み取った媒体画像が有する媒体情報に基づいて、媒体情報に含まれる個人情報を特定する情報特定手段と、
前記情報特定手段が特定した個人情報を媒体画像から削除する情報削除手段と、
情報書込み手段と、を備え、
前記情報処理装置は、
前記媒体画像において前記情報削除手段が個人情報を削除した情報削除領域上に書き込むための文字列又は記号を含む追加情報を媒体の種類毎に設定する情報設定手段を備え、
前記画像読取装置は、
前記情報処理装置から取得した前記情報設定手段の設定情報に基づいて、前記情報処理装置へ送信する前の媒体画像の前記情報削除領域上に前記追加情報を書き込み、前記情報書込み手段が前記追加情報を書き込んだ媒体情報を前記情報処理装置に送信することを特徴とする。